(57)【要約】プッシュ式オープナーを備えるキャップ（20）を開示する。キャップは、容器の入口に分離可能に連結されるキャップ本体（21）、および、容器（10）を密封するため容器（10）の入口またはキャップ本体（21）に付けられたシール部材（15）を開放させるためオープナー（30）が使用者のプッシュ式の操作によって下に移動するようキャップ本体（21）に備えられるオープナー（30）を含む。シール部材（15）は、使用者の手で直接触れることなくオープナー（30）を使って、簡単に取り外すされ、それゆえ、容器内（10）の内容物を清潔に取り出すことができ、容器（20）キャップの内容物を容器（10）の内容物と簡単に混合することができる。
2006508866.tif 000002
【特許請求の範囲】
【請求項１】
以下を含む、プッシュ式オープナーを備えるキャップ：
容器の入口に分離可能に連結されるキャップ本体；および
容器を密封するため容器の入口またはキャップ本体に備えられたシール部材を開放させるためオープナーが使用者のプッシュ式の操作によって下に移動するようキャップ本体に備えられるオープナー。
【請求項２】
２段階構造を有するオープナーが、キャップ本体の上部に連結されている、請求項１記載のキャップ。
【請求項３】
キャップ本体が、オープナーの外周から延び、少なくとも一部で選択的に開いた外壁部を含む、請求項２記載のキャップ。
【請求項４】
キャップ本体が、キャップ本体の開放部分を閉鎖するためキャップカバーをさらに含む、請求項３記載のキャップ。
【請求項５】
キャップ本体が、スプーンやストローの保管のため開放部分に保管部をさらに含む、請求項３記載のキャップ。
【請求項６】
キャップ本体が、
開放部分を閉鎖するキャップカバー；
キャップカバーとオープナーとの間の空間にスプーンやストローの保管のための保管部；
キャップカバーが装着される突起部；および
保管部が装着される突起部を含み、突起部が連続して形成されている、請求項３記載のキャップ。
【請求項７】
オープナーが、キャップ本体内にリバーシブル可能に取り付けられたドーム型構造を有する、請求項１記載のキャップ。
【請求項８】
オープナーが、
ドーム型構造の中央部に位置したテンションプレート；
シール部材を開放するためテンションプレートの下部から延びるカッティング部材；および
カッティング部材を垂直に動かすためカッティング部材からテンションプレートの内側に連結される連結部材を含む、請求項７記載のキャップ。
【請求項９】
テンションプレートが、連結部材より肉厚に形成された板状構造を有する、請求項８記載のキャップ。
【請求項１０】
シール部材の一部が切断されず残るように、カッティング部材が、シール部材を選択的に切断する、請求項８記載のキャップ。
【請求項１１】
１つの方向でカッティング部材によって切断されるシール部材を押すための押棒が、テンションプレートの下部に備えられる、請求項８記載のキャップ。
【請求項１２】
カッティング部材が、容器の入口部の外郭形状に沿って形成される、請求項８記載のキャップ。
【請求項１３】
容器の入口が、円いかたちをし、かつ、カッティング部材が、円いかたちをしている、請求項１２記載のキャップ。
【請求項１４】
押棒が、十字形断面を有する、請求項８記載のキャップ。
【請求項１５】
１つの方向でカッティング部材によって切断されるシール部材を押すための押棒が、テンションプレートの下部に備えられ、かつ、少なくとも１つの空間からカッティング部材によって横に分離される空間の外へ突き出される、請求項１４記載のキャップ。
【請求項１６】
カッティング部材が、複数箇所シール部材に穴をあけることによってシール部材を開封するように設計される、請求項８記載のキャップ。
【請求項１７】
カッティング部材が、２箇所でシール部材に穴をあけるように設計され、かつ、得られた２つのうち一方の穴が、他方より大きい、請求項１６記載のキャップ。
【請求項１８】
連結部材が、蛇腹構造を有する、請求項８記載のキャップ。
【請求項１９】
オープナーが、キャップ本体内にリバーシブル可能に備え付けられたドーム型構造を有し、
シール部材が、オープナーの内側を密封するため、キャップ本体に取り付けられる、請求項１記載のキャップ。
【請求項２０】
以下を含む、プッシュ式オープナーを備えるキャップ：
容器の入口に分離可能に連結されるキャップ本体；および
キャップ本体を容器により深く押すことで、オープナーがシール部材を開放するようキャップ本体に備えられたオープナー。
【発明の詳細な説明】
【技術分野】
【０００１】
技術分野
本発明は、容器用キャップに関し、特に、シール部材が、容器の入口やキャップから分離したプッシュ式オープナーを備えるキャップに関するものである。
【背景技術】
【０００２】
背景技術
１図１は、従来技術による開封構造を有する飲料容器のキャップを示す断面図である。  
【０００３】
従来の開封構造を有する飲料容器のキャップは、シール部材２により密封処理された容器１の入口に分離可能に連結されたキャップ本体３と、乗降部材４が上下に移動できるように該キャップ本体３の上部外側にに設置された乗降部材４と、キャップ本体３の上部に被せられた補助キャップ５とで構成される。
【０００４】
このようにキャップ付きの容器１に入った飲料を飲むときは、キャップ本体３を飲料容器１から取り外し、容器１の入口からシール部材２を取り除く。次に、キャップ本体３を飲料容器１の入口に連結させた後、補助キャップ５を開けて乗降部材４を使用者の手によって上方に引っ張れば、キャップ本体のヘッド部３’から乗降部材４の上面４’が離隔され飲料容器１の入口が開封されるので、傾けた飲料容器１から飲料を排出させて飲むことができる。
【０００５】
容器１に入った飲料を飲みたくない場合は、乗降部材４を手で押して元の位置に戻すことで、飲料容器１の入口を閉鎖する。
【０００６】
しかし、容器１から従来の開封構造を有する飲料容器のキャップを開放するために、容器からキャップ本体３を取り外し、シール部材２を容器１の入口から取り除いた後、再びキャップ本体３を容器１に連結せねばならないため、使用者に相当不便であるとの問題点があった。
【０００７】
特に、シール部材２は容器１の密封のために入口にしっかり取り付けられているため、容器１からシール部材２を分離することが容易でない。さらに、従来のシール部材２のほとんどは使用者の手によって、容器１から分離されるため、シール部材２を容器から分離するとき容器１の入口部が使用者の手によって汚され、容器１内の飲料にとって衛生上もよくない。
【０００８】
また、上述した従来技術のキャップは、容器１に入った内容物とは別に追加の内容物を保管するのが困難なため、容器１にとって追加の容器または、複雑な構造を有するキャップが必要になるという問題点があった。
【０００９】
また、上述した従来技術のキャップの付いた容器１に入っている飲料を飲みたいとき、キャップを容器１の入口から開封するため上方に引張り、容器１に入った飲料を飲んだ後、伸縮部材４は使用者の手によって元の位置に戻される。これは、容器１の入口を汚染し、衛生上清潔でないという問題もあった。
【発明の開示】
【００１０】
発明の開示
本発明は、上述のような問題点を解決するために案出されたもので、その目的は、容器の入口を閉めるシール部材がキャップ本体を容器から分離することなくプッシュ式で開くプッシュ式オープナーを備えるキャップを提供することにある。これによって、清潔を維持しながらも一層簡易にシール部材を取り除くことができる。
【００１１】
本発明の他の目的は、飲料や食品が、各キャップおよび容器に別々に保存され、プッシュ式でシール部材を開放することで混合される、プッシュ式オープナーを備えるキャップを提供することにある。これによって、容器およびキャップ内の内容物を簡単に保管及び混合が簡易で、使用者の便利性を向上させ得る。
【００１２】
上述および他の目的を達成するために、本発明によるプッシュ式オープナーを備えるキャップは、容器の入口に分離可能に連結されるキャップ本体と、容器を密封するため容器の入口またはキャップ本体に備えられたシール部材を開放させるためオープナーが使用者のプッシュ式の操作によって下に移動するようキャップ本体に備えられるオープナーとを含むことを特徴とする。
【００１３】
好ましくは、２段階構造を有するオープナーはキャップ本体の上部に連結されることができ、キャップ本体はオープナーの外周から延び、少なくとも一部で選択的に開いた外壁部を含むことができる。
【００１４】
さらに好ましくは、キャップ本体は、開放部分を閉鎖するためのキャップカバー、キャップカバーとオープナーとの間の空間にスプーンやストローの保管のための保管部、キャップカバーが装着される突起部、保管部が装着される突起部を備えることができ、突起部が連続して形成されている。
【００１５】
さらにより好ましくは、オープナーは、キャップ本体内にリバーシブル可能に備え付けられたドーム型構造を有することができる。
【００１６】
好ましくは、オープナーは、ドーム型構造の中央部に位置したテンションプレートと、シール部材を開放するためテンションプレートの下部から延びるカッティング部材と、カッティング部材を垂直に動かすためカッティング部材からテンションプレートの内側に連結される連結部材とを含むことができる。
【００１７】
さらに好ましくは、テンションプレートは、連結部材より相対的に肉厚に形成された板状構造を有することができる。
【００１８】
さらにより好ましくは、シール部材の一部が切断されず残るように、カッティング部材は、シール部材を選択的に切断できる。
【００１９】
好ましくは、  １つの方向でカッティング部材によって切断されるシール部材を押すための押棒が、テンションプレートの下部に備えることができる。
【００２０】
好ましくは、連結部材は、蛇腹構造を有することができる。
【００２１】
さらに好ましくは、シール部材が、オープナーの内側を密封するため、キャップ本体に取り付けられることができる。
【００２２】
さらにより好ましくは、カッティング部材は容器の入口部の外郭形状に沿って形成されることができる。容器の入口が円いかたちをしている場合、カッティング部材は円いかたちをしている。
【００２３】
好ましくは、押棒は十字形断面を有することができ、１つの方向でカッティング部材によって切断されるシール部材を押すための押棒が、テンションプレートの下部に備えられ、少なくとも１つの空間からカッティング部材によって横に分離される空間の外へ突き出されることができる。
【００２４】
さらに好ましくは、カッティング部材は、複数箇所シール部材に穴をあけることによってシール部材を開封するように設計することができる。
【００２５】
さらにより好ましくは、カッティング部材は２箇所でシール部材に穴をあけるように設計することができる。得られた穴の２つのうち一方の穴は他方より大きく形成され得る。
【００２６】
また、上述の目的を達成するための本発明によるプッシュ式オープナーを備えるキャップは、容器の入口に分離可能に連結されるキャップ本体と、キャップ本体を容器により深く押すことで、オープナーがシール部材を開放するようキャップ本体に備えられたオープナーとを含むことを特徴とする。
【００２７】
容器の入口を閉めるシール部材は容器からキャップ本体を分離することなしにプッシュ式の操作によって開封することができる。このように、容器の入口を簡単に開封することができ、内容物を衛生的に流しだすことができる。
【００２８】
さらに飲料や食品は、各キャップや容器によって個別に保存され、プッシュ式の操作によって混合される。このように、容器の内容物とキャップを簡単に保存し混合することができ、使用者の使い勝手を向上させる。
【００２９】
発明の実施のための最良の形態
以下、添付図面を参照しながら、本発明の望ましい実施例を詳しく説明する。
【００３０】
図２〜図６は、本発明の第１実施例による飲料容器用のプッシュ式オープナーを備えるキャップを示した図面であり、図２は斜視図、図３は平面図、図４及び図５は図３のＡ−Ａ線断面図として、それぞれ容器開封前と容器開封後を示した状態図、図６は底面図である。
【００３１】
図２〜図４に示すように、本発明による第１実施例のキャップ２０は、容器１０の入口に分離可能に連結されるキャップ本体２１と、オープナー３０が使用者のプッシュ式の操作によって下方に移動し、容器１０を密封する容器１０の入口に備えられたシール部材１５開封するするようにキャップ本体２１上に備えられたオープナー３０を含む。
【００３２】
即ち、シール部材１５がオープナー３０を押すことによって開封するよう、キャップ２０のオープナー３０は２段階構造でキャップ本体２１と連結している。
【００３３】
以下、本発明の第１実施例に従って、キャップ２０の構造について詳しく説明する。
【００３４】
まず、キャップ本体２１は、容器１０の入口に螺合される連結部２２と、連結部２２から上方に延び、開いた上面が備えられた外壁部２３を含む。ここで、オープナー３０は、外壁部２３内に位置する。
【００３５】
連結部２２には、キャップ２０が簡単に容器１０から開封されるよう、外面に形成されたギザギザ（knurl）２２ａがつけられる。さらに、連結部２２には、シール部２２ｂ、継ぎ目部２２ｃ、容器内１０の内容物を保護するため下端部に形成された切取り部（未図示）が形成される。
【００３６】
外壁部２３は、外部の衝撃からオープナー３０を保護するのに役立ち、キャップ２０を容器１０から簡単に開封されるよう、それの外面上にギザギザ２３ａが備えられている。
【００３７】
外壁部２３の開いた上面は、製品の広告などを表示することができるキャップカバー２５によって閉められる。キャップカバー２５とオープナー３０との間の空間はスプーン５０やストローなどの飲食道具を保管するための保管部２３ｄとして役立つ。好ましくは、キャップカバー２５を支える突起部２３ｂと保管部２３ｄを支える突起部２３ｃは、外壁部２３の開いた上面上に連続して形成される。
【００３８】
キャップ本体２１の保管部２３ｄのサイズが比較的小さな場合、スプーン５０は、折畳み式構造を有する。
【００３９】
オープナー３０は、キャップ本体２１の外壁部２３内にリバーシブル可能に取り付けられたドーム型構造を有する。
【００４０】
オープナー３０は、それのドーム型構造の中央部に位置され、使用者によって押されるテンションプレート３１と；テンションプレート３１の下部から延長してシール部材１５を開放させるカッティング部材３５と；テンションプレート３１又はカッティング部材３５に連結され、カッティング部材３５の上下動を可能にするため外壁部２３の内部に位置する連結部材３３と；を有する。
【００４１】
テンションプレート３１は、連結部材３３より肉厚に形成された板状構造を有する。
【００４２】
カッティング部材３５は、テンションプレート３１から下方に延長された支持物３５ｂ、及びカット部３５ｂの端部に形成され、シール部材１５の容易なカットのために鋭く形成された切刃３５ａを含む。好ましくは、切刃３５ａは、図６に示すように、シール部材１５が切刃３５ａによって選択的に切断されるため、支持物３５ｂの端の一部上に形成される。ここで、切刃３５ａは、包丁の刃又は鋸の刃などのような多様な形状を採用することができる。
【００４３】
さらに、カッティング部材３５は、容器１０の入口部の外郭形状に沿って形成される。容器１０の入口が円いかたちをしている場合、カッティング部材３５は円いかたちをしている。上述したように、カッティング部材３５は、切刃３５ａもしくは支持体３５ｂが形成されない部分に備えられた開放された円形構造を有することができる。
【００４４】
連結部材３３は、折り畳みが容易でかつ逆転が可能なように、テンションプレート３１より肉厚に形成され、横方向に連続した多層の蛇腹構造となっている。
【００４５】
好ましくは、テンションプレート３１は、１つの方向にカッティング部材３５によって切断されるシール部材１５を押す押棒３７をそれの下位部に備える。
【００４６】
押棒３７は、図６に示すように、十字形断面を有し、切断されるシール部材１５が容易に押しのけられるようにシール部材１５の切断されていない側に近いテンションプレート３１の下位部の離心部から突き出る。
【００４７】
代わりに、押棒３７は、テンションプレート３１の下位部の中央部から突き出ることもできるし、または、設計条件に応じて多様な形態及び構造で形成することができる。
【００４８】
かかる構成を有する本発明の第１実施例によるキャップ２０の作用を説明すれば、次の通りである。
【００４９】
図４に示された状態の基、使用者がキャップカバー２５とスプーン５０を容器１０からを分離し、使用者の手によってオープナー３０のテンションプレート３１が押されると、オープナー３０が垂直に移動する。このとき、図５に示すように、カッティング部材３５は、下に移動し、容器１０の入口を塞いでいるシール部材１５を切断し、容器１０の入口を開封することになる。
【００５０】
この際、シール部材１５の切断部は、降下する押棒３７によって、切断されていない部分のほうへ押され、切刃３５ａのないカッティング部材３５の部分の下に位置する。
【００５１】
シール部材１５上に位置するオープナー３０の内部と、シール部材１５の下に位置する容器１０の内部とが互いに連通することになる。したがって、これと同時にオープナー３０の内部に入っている内容物が容器１０の内部に落下流入し、容器１０に保管されている内容物と混合されることになる。
【００５２】
以後、混合された内容物がよく混ざるように、容器１０を振ると、一般的なキャップと同様な方法で、容器１０からキャップ２０を開封し、その後、使用者は容器１０内の混合された内容物を飲んだり、スプーンで食べたり、或いは、容器１０から他の容器に注ぐ。
【００５３】
図７は、本発明の第２実施例によるプッシュ式オープナーを備えるキャップを示した縦断面図である。
【００５４】
前述した第１実施例では、キャップ２０が容器１０の入口に備えられたシール部材１５を含むが、第２実施例ではキャップ１２０がキャップ本体１２１の内部に備えられたシール部材１１５を含む。
【００５５】
即ち、シール部材１１５がキャップ本体１２１内に備え付けられる場合、外壁部１２３の下端部にシール部材受け取り突起部１２４が形成され、外部環境から容器１１０に含まれる内容物を切り離すため、爪部１２５（crab’s  claw）は、外壁部１２３の下端部から入口の内部まで突き出ている。それゆえ、内容物を汚染から防止できる。
【００５６】
シール部材１１５が、上述で述べられたように、キャップ本体１２１備え付けられる場合、飲料及び食品などの内容物が、容易にオープナー１３０に貯蔵される。
【００５７】
シール部材１１５と表面接触している押し板１３８が、オープナー１３０の十字形押棒１３７に備えられ、開封用つかみ部１４０が、キャップ本体１２１の外面から突き出ている。それゆえに、使用者が容器１０から簡単にキャップを開封することができる。
【００５８】
使用者が、手でオープナー１３０のテンションプレート１３１を押すと、カッティング部材１３５が下降し、オープナー１３０の内部と容器１１０の内容がお互いに連通するようにキャップ本体１２１に備えられたシール部材１１５を切断する。
【００５９】
従って、オープナー１３０内に含まれる内容物が、容器１１０の内部に入り、容器１１０内に含まれる内容物と混合される。以後、開封用つかみ部１４０を押して容器１１０からキャップ１２０を開封すれば、容器１１０内の混合された内容物を取り出すことができる。
【００６０】
図８は、本発明の第３実施例によるプッシュ式オープナーを備えるキャップを示した底面図であり、図９は図８のＢ−Ｂ線断面図である。
【００６１】
第１実施例におけるキャップ２０は、円形構造を持つカッティング部材３５を含むが、本発明の第３実施例によるキャップ２２０は、十字型断面有するカッティング部材２３５を含み、押棒２３７は少なくとも１つの空間からカッティング部材２３５によって十字に分離される空間の外へ突き出る。
【００６２】
好ましくは、カッティング部材２３５は、シール部材２１５が、中央部から始まり端まで切断されるよう、Ｖ字形構造を備えており、４つの押棒２３７は、それぞれ十字形に分離される空間に形成される。
【００６３】
ここで、参照符号２３３は、蛇腹構造をした連結部である。カッティング部材２３５と押棒２３７以外の第３実施例のキャップ２２０の要素は、本発明の第１実施例と同一なため、その詳細な説明は省略する。
【００６４】
本発明の第３実施例によるキャップ２２０の動きや作用を説明すれば、次の通りである。
【００６５】
使用者がキャップカバー２２５とスプーン２５０を容器２１０から分離し、手で、オープナー２３０のテンションプレート２３１を押すと、オープナー２３０が垂直下方に下降する。このとき、図５に示すように、カッティング部材２３５も下降し、容器２１０の入口を塞いでいたシール部材２１５を切断し、容器２１０の入口を開封することになる。
【００６６】
つまり、シール部材２１５は、カッティング部材２３５によって十字形に切断され、シール部材２１５の切断される部分が、押棒２３７によって広がり、入口の内部壁に向って押される。ここで、シール部材２１５上に位置するオープナー２３０の内部、および、シール部材２１５の下に位置する容器２１０の内部がお互いに連通される。したがって、オープナー２３０内に含まれる内容物が容器２１０内に入り、容器２１０内に含まれる内容物と混合される。
【００６７】
図１０は、本発明の第４実施例によるプッシュ式オープナーを備えるキャップを示した底面図である。
【００６８】
第１〜３実施例によるキャップ２０、１２０、２２０のそれぞれが、カッティング部材３５，１３５，２３５、の対応する１つを有するが、本発明の第４実施例によるキャップ３２０は、シール部材の複数の部分を切断するため、複数のカッティング部材３３５Ａ、および３３５Ｂを含む。
【００６９】
即ち、図１０を参照して、キャップ３２０は、シール部材の２箇所を切断するため２つのカッティング部材３３５Ａおよび３３５Ｂを含む。ここで、１つのカッティング部材３３５Ａは、他方のカッティング部材３３５Ｂよりサイズが大きい。
【００７０】
好ましくは、カッティング部材３３５Ａ、３３５Ｂは、それぞれオープナー３３０のテンションプレート３１０から突出して、１８０°の角度で配置する２つの孔が、シール部材を通って形成される。カッティング部材３３５Ａ、３３５Ｂは、シール部材の切断部分がシール部材と連結するよう、開口部ＸおよびＹを備える開いた構造をそれぞれ有する。
【００７１】
ここで、参照符号３３３は、蛇腹構造をした連結部である。カッティング部材３３５Ａと押棒３３５Ｂ以外の第４実施例のキャップ３２０の要素は、本発明の第１実施例と同一なため、その詳細な説明は省略する。
【００７２】
本発明による第４実施例における上述したキャップ３２０において、カッティング部材３３５Ａ、３３５Ｂによってシール部材に形成された２つの孔のうち相対的に大きい方は使用者が容器の内容物を飲んだり注いだりする孔として用いられ、相対的に小さい方は容器内部への空気の流入を容易にして大きな孔から内容物がよく排出されるようにする役割をする。
【００７３】
図１１は、本発明の第５実施例によるプッシュ式オープナーを備えるキャップを示した縦断面図である。
【００７４】
本発明の第４実施例によるキャップ４２０は、オープナー４３０容器が容器４１０により深くキャップ本体４２１を連結するように、４１０の入口に分離可能に連結されるキャップ本体４２１と、キャップ本体４２１に備えられるオープナー４３０を含む。したがって、容器１０を密封するため容器１０の入口に備えられたシール部材４１５を開封する。
【００７５】
すなわち、容器４１０の入口と１番目につながりのあるキャップ４２０は、キャップ４２０が容器４１０に組み込まれる方向にさらに回転する時、キャップ４２０は容器４１０とより深く２番目につながり、キャップ本体４２１に取り付けられたカッティング部材４３５が下に動き、シール部材４１５を切断して、容器４１０を開放する。
【００７６】
オープナー４３０には、カッティング部材４３５と、カッティング部材４３５の中央に位置する押棒４３７が備えられる。
【００７７】
特に、キャップ４２１の回転を防止する回転防止部材が、キャップ本体３２１の第１および第２連結部と容器４１０の入口の間に置かれ、それによって、所定の外力が加わらないまたは回転防止部材に適用されるまでキャップ本体４２１が回転しないようにする。
【００７８】
好ましくは、回転防止部材は、キャップ本体４２１の下端部に多数の継ぎ目４２５を通して連結される円環形状を有するシール部４２６、および、所定の外力を加えることやシール部４２６に適用することで切断される切り取り部４２７を有する。キャップ本体４２１が所定の外力又はそれ以上加えることにより回転する時、雌ねじ山が備わっていないシール部４２６の一部が、雄ねじ山を備える容器４１０の入口の一部によって捕らえられ、切り取り部４２７と継ぎ目４２５の間の連結を切断する。
【００７９】
したがって、キャップ本体４２１が、容器４１０の入口により深く回転し、シール部４１５はオープナー４３０によって開封される。
【００８０】
産業上の利用可能性
上述から明らかなように、本発明は、容器の入口を開封するシール部材が、プッシュ式操作によって開封する、プッシュ式オープナーを備えるキャップを提供し、それゆえ、容器内の内容物を取り出す前にシール部材を取り除くためにキャップを飲料容器から分離しなければならなかった従前の不便さを解決することができる。
【００８１】
さらに、容器の入口が、使用者の手によって直接触れることなく簡単に開封され、それゆえ、より清潔な内容物の取り出しが可能となる。
【００８２】
加えて、飲料や食品はキャップや容器のそれぞれに別々に貯蔵され、プッシュ式操作でシール部材を開封することで混合されることで、容器とキャップの内容物が簡便に混合され、使用者が簡単に混合された内容物を飲食できる。
【００８３】
さらに加えて、スプーンやストローが、キャップのすき間に保管されているので、本発明のキャップ容器によって、使用者が内容物を飲食する時、簡単にスプーンやストローを使うことが可能であり、キャップがキャップカバーに備えられているので、キャップカバーは、広告効果を有し、キャップへのい異物流入を防止する。それゆえ、スプーンやストローの清潔さが高まる。
【００８４】
以上、本発明によるプッシュ式オープナーを有するキャップについて図面を参照しながら説明したが、本発明は本明細書に開示された実施例及び図面によって限定されるものではなく、本発明の技術上の範囲内で当業者により多様な変形が可能である。
【００８５】
例えば、本発明によるプッシュ式オープナーを有するキャップは、飲料容器に限定されず、内容物に関係なくシーリング処理された容器及びシーリング処理されたキャップには全部適用が可能であり、本発明の権利範囲に含まれるものと解釈されるべきである。特に、シール部材で密封された２つの容器を、使用時に１つに連結して、本発明の方法と同一或いは類似に使用する製品もまた本発明の技術上の範囲に含まれるのである。
【図面の簡単な説明】
【００８６】
【図１】従来技術の開封構造を有する飲料容器のキャップを示した断面図。
【図２】本発明の第１実施例によるプッシュ式オープナーを備えるキャップを示した斜視図。
【図３】本発明の第１実施例によるプッシュ式オープナーを有するキャップを示した平面図。
【図４】容器開封前の状態を示した、図３のＡ−Ａ線断面図。
【図５】容器開封後の状態を示した、図３のＡ−Ａ線断面図。
【図６】本発明の第１実施例によるプッシュ式オープナーを備えるキャップを示した底面図。
【図７】本発明の第２実施例によるプッシュ式オープナーを備えるキャップを示した縦断面図。
【図８】本発明の第３実施例によるプッシュ式オープナーを備えるキャップを示した底面図。
【図９】図８のＢ−Ｂ線断面図。
【図１０】本発明の第４実施例によるプッシュ式オープナーを備えるキャップを示した底面図。
【図１１】本発明の第５実施例によるプッシュ式オープナーを備えるキャップを示した縦断面図である。
【図１】
2006508866.tif 000003
【図２】
2006508866.tif 000004
【図３】
2006508866.tif 000005
【図４】
2006508866.tif 000006
【図５】
2006508866.tif 000007
【図６】
2006508866.tif 000008
【図７】
2006508866.tif 000009
【図８】
2006508866.tif 000010
【図９】
2006508866.tif 000011
【図１０】
2006508866.tif 000012
【図１１】
2006508866.tif 000013
【国際調査報告】
2006508866.tif 000014
2006508866.tif 000015